(57)【要約】【課題】（イ）断熱・防音効果に優れると共に、（ロ）現場での吹き付け作業が不要であり、かつ（ハ）持ち運びにも便利な新規なパッケージ断熱防音材及びそれを用いた断熱防音壁を提供する。【解決手段】微細物質からなる微細物質断熱防音体と、該微細物質断熱防音体を充填するための通気性シート製の袋状又は箱状パッケージ部材と、を含むパッケージ断熱防音材であって、該袋状又は箱状パッケージ部材が表面部材と、該表面部材に相対向して設けられた裏面部材と、該表面部材及び該裏面部材とに接合して設けられた側面部材と、を含み、該微細物質断熱防音体を該袋状又は箱状パッケージ部材内に充填してなるようにした。【選択図】図１
0003130631.tif 000002
【実用新案登録請求の範囲】
【請求項１】
微細物質からなる微細物質断熱防音体と、
該微細物質断熱防音体を充填するための通気性シート製の袋状又は箱状パッケージ部材と、
を含むパッケージ断熱防音材であって、
該袋状又は箱状パッケージ部材が表面部材と、該表面部材に相対向して設けられた裏面部材と、該表面部材及び該裏面部材とに接合して設けられた側面部材と、を含み、
該微細物質断熱防音体を該袋状又は箱状パッケージ部材内に充填してなることを特徴とするパッケージ断熱防音材。
【請求項２】
前記表面部材及び裏面部材を連結するように設けられた膨れ止め部材をさらに含むことを特徴とする請求項１記載のパッケージ断熱防音材。
【請求項３】
前記袋状又は箱状パッケージ部材の一方向からみた断面形状が複数のアーチ状を上下に相対向せしめた断面形状となるように前記表面部材及び裏面部材が複数のアーチ状表面部材及び複数のアーチ状裏面部材とされてなることを特徴とする請求項１又は２記載のパッケージ断熱防音材。
【請求項４】
前記袋状又は箱状パッケージ部材の内部に前記袋状又は箱状パッケージ部材の内部を長手方向に複数の区切り室に区分けるための複数の間仕切り部材をさらに設け、該袋状又は箱状パッケージ部材のそれぞれの複数の区切り室内に前記微細物質断熱防音体が充填されたことを特徴とする請求項１〜３いずれか１項記載のパッケージ断熱防音材。
【請求項５】
前記袋状又は箱状パッケージ部材が、
多数の通気孔が開穿された底板状裏面部材と、一対の長手方向側面部材と、一対の短手方向側面部材と、からなる下枠体と、該底板状裏面部材と相対向して該下枠体の上部を閉塞する多数の通気孔が開穿された上蓋状表面部材と、を含む段ボール製箱体と、
前記底板状裏面部材及び前記上蓋状表面部材のそれぞれの内側に敷設された内側シートと、
を含み、
前記内側シートが敷設された前記下枠体内に前記微細物質断熱防音体を投入し、該下枠体を前記内側シートが敷設された上蓋状表面部材で閉塞することにより、前記袋状又は箱状パッケージ部材内に前記微細物質断熱防音体を充填してなることを特徴とする請求項１記載のパッケージ断熱防音材。
【請求項６】
前記微細物質断熱防音体が、粉状又は繊維状の断熱防音体であることを特徴とする請求項１〜５いずれか１項記載のパッケージ断熱防音材。
【請求項７】
請求項１〜６いずれか１項記載のパッケージ断熱防音材を垂直方向に複数個積上げ及び／又は水平方向に複数個並べてなることを特徴とする断熱防音壁。
【考案の詳細な説明】
【技術分野】
【０００１】
本考案は、微細物質断熱防音体を封入してパッケージ状に成形された積上げ可能なパッケージ断熱防音材及びそれを用いた断熱防音壁に関する。
【背景技術】
【０００２】
従来、一般家屋やビル等の建築物の壁材の断熱構造として、セルローズファイバーなどの断熱材を建築現場で壁板に吹き付けて断熱層を形成して断熱壁とする工法などが知られている（特許文献１及び２）。
【０００３】
これら従来の工法は、断熱材を吹き付ける必要があり、その作業には熟練した腕が必要となるため、一部の職人などがその工事現場毎に吹き付け作業する必要があった。結果として、施工者はそういった吹き付け作業のための職人に依頼する必要があり、工事日程の問題やコストがかかるといった問題があった。
【０００４】
一方で、あらかじめ断熱材を壁板に吹き付けておき、作製された断熱壁を現場まで運ぶことも考えられるが、現場まで運ぶのが大変であり現実的ではない。
【特許文献１】特開平９−１０５１８２
【特許文献２】特開平９−２０９４７１
【考案の開示】
【考案が解決しようとする課題】
【０００５】
本考案は、上記問題点に鑑みてなされたものであり、（イ）断熱・防音効果に優れると共に、（ロ）現場での吹き付け作業が不要であり、かつ（ハ）持ち運びにも便利な新規なパッケージ断熱防音材及びそれを用いた断熱防音壁を提供することを目的とする。
【課題を解決するための手段】
【０００６】
上記課題を解決するために、本考案のパッケージ断熱防音材は、微細物質からなる微細物質断熱防音体と、該微細物質断熱防音体を充填するための通気性シート製の袋状又は箱状パッケージ部材と、を含むパッケージ断熱防音材であって、該袋状又は箱状パッケージ部材が表面部材と、該表面部材に相対向して設けられた裏面部材と、該表面部材及び該裏面部材とに接合して設けられた側面部材と、を含み、該微細物質断熱防音体を該袋状又は箱状パッケージ部材内に充填してなることを特徴とする。
【０００７】
このように構成すれば、パッケージとした断熱防音材なので持ち運びに便利であり、一般家屋やビル等の建築物の壁材の断熱防音構造を施工するに際し、従来のような断熱防音材を吹き付ける職人が不要となり、大工が現場で簡単に断熱防音壁を組立てられるという利点がある。
【０００８】
袋状又は箱状パッケージ部材としては、袋状又は箱状であればよいものであるので、その形状に特別の限定はない。また、前記表面部材及び裏面部材が膨らんでしまうのを防止すべく、前記表面部材及び裏面部材を連結するように設けられた膨れ止め部材をさらに含むように構成するのが好ましい。膨れ止め部材としては、前記表面部材及び裏面部材が過度に膨らまないようにする機能を有すればよいものであるが、例えば、前記表面部材及び裏面部材が連結するように数カ所を縫合するための糸などが使用できる。
【０００９】
さらに、袋状又は箱状パッケージ部材の一方向からみた断面形状が複数のアーチ状を上下に相対向せしめた断面形状となるように前記表面部材及び裏面部材が複数のアーチ状表面部材及び複数のアーチ状裏面部材とされてなるように構成するのが好適である。
【００１０】
また、前記パッケージ断熱防音材の作製方法としては、通気性シート製の袋状又は箱状パッケージ部材をまず作製してから、該袋状又は箱状パッケージ部材内に前記微細物質断熱防音体を充填するようにするのが好適である。
【００１１】
また、前記袋状又は箱状パッケージ部材の内部に前記袋状又は箱状パッケージ部材の内部を長手方向に複数の区切り室に区分けるための複数の間仕切り部材をさらに設け、該袋状又は箱状パッケージ部材のそれぞれの複数の区切り室内に前記微細物質断熱防音体が充填されるように構成することもできる。
【００１２】
このように区分けして構成することで、前記微細物質断熱防音体を袋状又は箱状パッケージ部材内に均一に安定した状態で充填することが可能となる。
【００１３】
また、前記パッケージ断熱防音材の作製方法としては、通気性シート製の表面部材と、表面部材に相対向して設けられた裏面部材と、該表面部材及び該裏面部材とに接合して設けられた側面部材と、前記袋状又は箱状パッケージ部材の内部を長手方向に複数の区切り室に区分けるための複数の間仕切り部材と、をを含む袋状又は箱状パッケージ部材をまず作製してから、該袋状又は箱状パッケージ部材のそれぞれの複数の区切り室内に前記微細物質断熱防音体を順次充填するようにするのが好適である。
【００１４】
前記通気性シートの材質としては、通気性を有するものであればいずれも適用でき特別の限定はないが、例えば紙、布、段ボール、プラスチックフィルムなどが使用できる。但し、段ボールやプラスチックフィルムなどを用いる場合には、あらかじめ多数の孔を開穿しておき、空気の通気性を良くするのが特に好ましい。
【００１５】
前記微細物質断熱防音体としては、セルローズファイバー、綿、古紙、紙、発泡ウレタン、硬質ウレタン、発泡スチロール、石などを１ｃｍ以下に細かく砕いたものや粉状のものが好適に使用できる。また、前記微細物質断熱防音体としては、繊維状の断熱防音体でもよく、セルローズファイバー、綿、古紙や紙などを綿状にしたものなどが使用できる。繊維状断熱防音材として、セルロースファイバーそのままでも使用可能であるが、例えば、セルローズファイバーに接着剤や防燃材、その他の添加剤などを混入した物なども使用可能である。
【００１６】
また、本考案のパッケージ断熱防音材としては、  前記袋状又は箱状パッケージ部材が、多数の通気孔が開穿された底板状裏面部材と、一対の長手方向側面部材と、一対の短手方向側面部材と、からなる下枠体と、該底板状裏面部材と相対向して該下枠体の上部を閉塞する多数の通気孔が開穿された上蓋状表面部材と、を含む段ボール製箱体と、前記底板状裏面部材及び前記上蓋状表面部材のそれぞれの内側に敷設された内側シートと、を含み、前記内側シートが敷設された前記下枠体内に微細物質断熱防音体を投入し、該下枠体を前記内側シートが敷設された上蓋状表面部材で閉塞することにより、前記袋状又は箱状パッケージ部材内に前記微細物質断熱防音体を充填してなるように構成することも可能である。
【００１７】
このように構成すれば、前記袋状又は箱状パッケージ部材が前記段ボール製箱体を含むため、本考案のパッケージ断熱防音材を積上げて断熱防音壁とするのが容易となる。前記内側シートとしては、通気性があるものが好ましく、紙製シートが特に好ましい。
【００１８】
本発明のパッケージ断熱防音材のサイズに特別の限定はないが、あまり小さくすると積上げて断熱防音壁とするのが大変であるし、あまり大きくすると持ち運びが不便となるため、例えば高さ２０ｃｍ〜２ｍ程度、幅２０ｃｍ〜２ｍ程度、奥行き５ｃｍ〜３０ｃｍ程度のサイズとすることができる。
【００１９】
さらに、本考案の断熱防音壁は、上記のように構成された前記パッケージ断熱防音材を面一となるように垂直方向（建物の壁面など）に複数個積上げ及び／又は水平方向（床や天井など）に複数個並べることを特徴とするものである。すなわち、前記パッケージ断熱防音材を垂直方向に複数個積上げかつ水平方向にも複数個並べて断熱防音壁としてもよいし、前記パッケージ断熱防音材を垂直方向に複数個積上げただけの断熱防音壁や、前記パッケージ断熱防音材を水平方向に複数個並べただけの断熱防音壁としてもよい。
【００２０】
したがって、従来は、断熱壁の作製にあたっては、建築現場で職人が壁板にセルローズファイバーなどを吹き付けて断熱層を形成して断熱壁としていたものが、本考案では、複数の本考案のパッケージ断熱防音材を現場に持って行って並べるだけで、簡単に断熱防音壁が完成するのである。
【００２１】
本考案のパッケージ断熱防音材及び断熱防音壁は、断熱効果のみならず防音効果にも同時に優れるため、断熱材・断熱壁としても利用できるし、防音材・防音壁としても利用できる。
【考案の効果】
【００２２】
本考案によれば、（イ）断熱・防音効果に優れると共に、（ロ）現場での吹き付け作業が不要であり、かつ（ハ）持ち運びにも便利な新規なパッケージ断熱防音材を提供することができるという著大な効果を奏する。
【考案を実施するための最良の形態】
【００２３】
以下に本考案の実施の形態を添付図面に基づいて説明するが、本考案の技術思想から逸脱しない限りこれらの実施の形態について種々の変更又は変形が可能なことは言うまでもない。
【００２４】
図１は本考案に係るパッケージ断熱防音材の第一の実施の態様を示す概略説明図であって（ａ）はアーチが３つのアーチ状表面部材及びアーチが３つのアーチ状裏面部材を用いたもの、（ｂ）はアーチが６つのアーチ状表面部材及びアーチが６つのアーチ状裏面部材を用いたもの、（ｃ）はアーチが９つのアーチ状表面部材及びアーチが９つのアーチ状裏面部材を用いたものである。図２は、図１（ｃ）のパッケージ断熱防音材を用いた木造建物用の本考案に係る断熱防音壁の部分摘示図、図３は図１（ａ）のパッケージ断熱防音材を用いた木造建物用の本考案に係る断熱防音壁を別の角度から見た部分摘示図である。
【００２５】
図４は、本考案に係るパッケージ断熱防音材の第二の実施の態様を示す概略説明図であって、（ａ）は小サイズ、（ｂ）は中サイズ、（ｃ）は大サイズのパッケージ断熱防音材をそれぞれ示す。
【００２６】
図５は本考案に係るパッケージ断熱防音材の第三の実施の態様を示す概略説明図であって、（ａ）は袋状又は箱状パッケージ部材を分解した状態、（ｂ）は袋状又は箱状パッケージ部材を組立てた状態、（ｃ）〜（ｆ）は微細物質断熱防音体を充填している状態、（ｇ）はパッケージ断熱防音材を作製した状態をそれぞれ示す。図６は図５のパッケージ断熱防音材を用いた木造建物用の本考案に係る断熱防音壁の部分摘示図、図７は図５のパッケージ断熱防音材を用いた鉄骨建物用の本考案に係る断熱防音壁の部分摘示図、図８は本考案に係るパッケージ断熱防音材の第四の実施の態様を示す説明図であって、（ａ）〜（ｄ）はパッケージ断熱防音材を作製している状態、（ｅ）はパッケージ断熱防音材を作製した状態をそれぞれ示す。図９は図８のパッケージ断熱防音材を用いた木造建物用の本考案に係る断熱防音壁の部分摘示図、図１０は図８のパッケージ断熱防音材を用いた鉄骨建物用の本考案に係る断熱防音壁の部分摘示図である。
【００２７】
まず、本考案に係るパッケージ断熱防音材の第一の態様を、図１に基づいて説明する。
【００２８】
符号１０Ａは、本考案に係るパッケージ断熱防音材の第一の態様を示す。パッケージ断熱防音材１０Ａは、微細物質（図示例では、粉状にしたセルローズファイバーを用いた）からなる微細物質断熱防音体１４と、該微細物質断熱防音体１４を充填するための通気性シート１６（図示例では紙）製の袋状又は箱状パッケージ部材１８と、を含むパッケージ断熱防音材であって、該袋状又は箱状パッケージ部材１８が表面部材２０と、表面部材２０に相対向して設けられた裏面部材２２と、該表面部材２０及び該裏面部材２２とに接合して設けられた側面部材２４と、を含み、該微細物質断熱防音体１４を該袋状又は箱状パッケージ部材１８内に充填してなるものである。
【００２９】
また、前記表面部材２０及び裏面部材２２が膨らんでしまうのを防止すべく、前記表面部材２０及び裏面部材２２を連結するように縫合して設けられた膨れ止め部材２６（図示例では糸を使用した）をさらに含んでいる。
【００３０】
さらに、袋状又は箱状パッケージ部材１８の一方向からみた断面形状が複数のアーチ状を上下に相対向せしめた断面形状となるように、前記表面部材２０及び裏面部材２２が複数のアーチ状表面部材２８及び複数のアーチ状裏面部材３０となるように構成されている。
【００３１】
また、パッケージ断熱防音材１０Ａは、図１に示すように、通気性シート１６製の袋状又は箱状パッケージ部材１８をまず作製してから、該袋状又は箱状パッケージ部材１８内に前記微細物質断熱防音体１４を吹き込んで充填するようにして作製されている。符号３２は微細物質断熱防音体１４を袋状又は箱状パッケージ部材１８内に吹き込むために側面部材２４に設けられた吹込み口であり、該吹込み口３２は微細物質断熱防音体１４を袋状又は箱状パッケージ部材１８に充填した後に閉塞される。
【００３２】
図１において、（ａ）はアーチが３つのアーチ状表面部材２８及びアーチが３つのアーチ状裏面部材３０を用いたもの、（ｂ）はアーチが６つのアーチ状表面部材２８及びアーチが６つのアーチ状裏面部材３０を用いたもの、（ｃ）はアーチが９つのアーチ状表面部材２８及びアーチが９つのアーチ状裏面部材３０を用いたものである。
【００３３】
図１（ｃ）及び図１（ａ）のパッケージ断熱防音材１０Ａを用いた木造建物用の本考案に係る断熱防音壁の部分摘示図を図２及び図３に示す。図２及び図３において、符号２００Ａは本考案に係る断熱防音壁を示す。本考案の断熱防音壁２００Ａは、図１（ａ）及び図１（ｃ）に示したパッケージ断熱防音材１０Ａを複数個並べて構成されている。図示例では、図１（ａ）のパッケージ断熱防音材１０Ａとしては、高さ３０８．３ｍｍ×幅３８７．５ｍｍのものを使用した。図１（ｃ）のパッケージ断熱防音材１０Ａとしては、高さ９２５ｍｍ×幅３８７．５ｍｍのもを使用した。また、符号３４は基礎、３６は土台、３８は胴差、４０は小屋梁、４１は通し柱、４２は柱、４４は間柱を示す。さらに、符号４６は垂木、４８は小屋束、５０は母屋、５２は窓となる開口部である。
【００３４】
図示例では、例えば、小屋梁４０から胴差３８の間に３個又は９個、通し柱４１から柱４２の間に４個、パッケージ断熱防音材１０Ａを並べた例を示したが、パッケージ断熱防音材１０Ａを複数個並べて断熱防音壁とすればよいもので、並べ方などに特別の限定はない。
【００３５】
本考案に係るパッケージ断熱防音材の第二の実施の態様を、図４に基づいて説明する。
【００３６】
符号１０Ｂは、本考案に係るパッケージ断熱防音材である。パッケージ断熱防音材１０Ｂは、微細物質（図示例では、粉状にしたセルローズファイバーを用いた）からなる微細物質断熱防音体５４と、該微細物質断熱防音体５４を充填するための通気性シート５６（図示例では紙）製の袋状又は箱状パッケージ部材５８と、を含むパッケージ断熱防音材であって、該袋状又は箱状パッケージ部材５８が表面部材６０と、表面部材６０に相対向して設けられた裏面部材６２と、該表面部材６０及び該裏面部材６２とに接合して設けられた側面部材６４と、を含み、該微細物質断熱防音体５４を該袋状又は箱状パッケージ部材５８内に充填してなるものである。
【００３７】
前記表面部材６０及び前記裏面部材６２には格子状の縫い目６５が加工してあり、さらに、前記表面部材６０及び裏面部材６２が膨らんでしまうのを防止すべく、前記表面部材６０及び裏面部材６２を連結するように縫合して設けられた膨れ止め部材６６（図示例では糸を使用した）をさらに含んでいる。
【００３８】
また、パッケージ断熱防音材１０Ｂは、図４（ａ）に示すように、通気性シート５６製の袋状又は箱状パッケージ部材５８をまず作製してから、該袋状又は箱状パッケージ部材５８内に前記微細物質断熱防音体５４を吹き込んで充填するようにして作製されている。符号７２は微細物質断熱防音体５４を袋状又は箱状パッケージ部材５８内に吹き込むために側面部材６４に設けられた吹込み口であり、該吹込み口７２は微細物質断熱防音体５４を袋状又は箱状パッケージ部材５８に充填した後に閉塞される。
【００３９】
なお、図４において、（ａ）は小サイズ、（ｂ）は中サイズ、（ｃ）は大サイズのパッケージ断熱防音材１０Ｂをそれぞれ示す。
【００４０】
次に、本考案に係るパッケージ断熱防音材の第三の態様を、図５に基づいて説明する。
【００４１】
符号１０Ｃは、本考案に係るパッケージ断熱防音材の第三の実施の態様を示す。パッケージ断熱防音材１０Ｃは、微細物質（図示例では、粉状にしたセルローズファイバーを用いた）からなる微細物質断熱防音体１１４と、該微細物質断熱防音体１１４を充填するための通気性シート１１６（図示例では紙）製の袋状又は箱状パッケージ部材１１８と、を含むパッケージ断熱防音材であって、該袋状又は箱状パッケージ部材１１８が表面部材１１９と、表面部材１１９に相対向して設けられた裏面部材１２１と、該表面部材１１９及び該裏面部材１２１とに接合して設けられた側面部材１２３と、を含み、該微細物質断熱防音体１１４を該袋状又は箱状パッケージ部材１１８内に充填してなるものである。
【００４２】
微細物質（図示例では、粉状にしたセルローズファイバーを用いた）からなる微細物質断熱防音体１１４と、該微細物質断熱防音体１１４を充填するための通気性シート１１６（図示例では紙）からなる袋状又は箱状パッケージ部材１１８と、を含み、該微細物質断熱防音体１１４を該袋状又は箱状パッケージ部材１１８に充填してなるものである。
【００４３】
袋状又は箱状パッケージ部材１１８は図５（ａ）のように複数の通気性シート１１６（図示例では紙）を組み合わせて構成されている。図示例では、便宜上、複数の通気性シート１１６をそれぞれのパーツに分けて袋状又は箱状パッケージ部材１１８を構成した例を示したが、袋状又は箱状をした袋状又は箱状パッケージ部材１１８ができればよいものであるから、通気性シート１１６で袋状又は箱状パッケージ部材１１８を構成するにあたって図５（ａ）の形態に限定されるわけではない。
【００４４】
前記袋状又は箱状パッケージ部材１１８の内部には図５（ａ）によく示されるように、前記袋状又は箱状パッケージ部材１１８の内部を長手方向に複数の区切り室１２０ａ，１２０ｂ，１２０ｃ，１２０ｄに区分けるための複数の間仕切り部材１２２ａ，１２２ｂ，１２２ｃがさらに設けられており、該袋状又は箱状パッケージ部材１１８のそれぞれの複数の区切り室１２０ａ，１２０ｂ，１２０ｃ，１２０ｄ内に前記微細物質断熱防音体１１４が充填されている。
【００４５】
なお、図５に示した例では、袋状又は箱状パッケージ部材１１８を構成するにあたって、後で微細物質断熱防音体１１４（図示例では、粉状にしたセルローズファイバーを用いた）を充填しやすくなるように、袋状又は箱状パッケージ部材１１８の上部（それぞれの複数の区切り室１２０ａ，１２０ｂ，１２０ｃ，１２０ｄの上部）に投入口１２４ａ，１２４ｂ，１２４ｃ，１２４ｄを設けてある（特に図５（ａ）〜（ｅ）参照）。この投入口１２４ａ，１２４ｂ，１２４ｃ，１２４ｄは、微細物質断熱防音体１１４の充填が終わり次第順次閉塞される（特に特に図５（ｅ）〜（ｇ）参照）。
【００４６】
パッケージ断熱防音材１０Ｃの作製方法の１つの例を図５（ａ）〜（ｇ）に示す。
【００４７】
まず、図５（ａ）に示した形状の通気性シート１１６（図示例では紙）を用いて、図１（ｂ）のような袋状又は箱状パッケージ部材１１８を形成する。該袋状又は箱状パッケージ部材１１８には、その上部に投入口１２４ａ，１２４ｂ，１２４ｃ，１２４ｄを設けておく。
【００４８】
そして、図５（ｃ）〜（ｆ）に示すように、微細物質断熱防音体１１４を投入口１２４ａ，１２４ｂ，１２４ｃ，１２４ｄから区切り室１２０ａ，１２０ｂ，１２０ｃ，１２０ｄに順次充填していく。微細物質断熱防音体１１４の充填が終わると投入口１２４ａ，１２４ｂ，１２４ｃ，１２４ｄは順次閉塞する。符号１２６は微細物質断熱防音体１１４を投入しやすくするための漏斗である。
【００４９】
このようにして、区切り室１２０ａ，１２０ｂ，１２０ｃ，１２０ｄに微細物質断熱防音体１１４が充填されると、図５（ｇ）に示すようなパッケージ断熱防音材１０Ｃが作製される。
【００５０】
上述したパッケージ断熱防音材１０Ｃを用いて、木造建物の断熱防音壁を作製した場合を図６に示す。
【００５１】
図６において、符号２００Ｂは、図５（ｇ）のパッケージ断熱防音材１０Ｃを用いて木造建物に適用した本考案の断熱防音壁を示す。本考案の断熱防音壁２００Ｂは、パッケージ断熱防音材１０Ｃを複数個積上げて構成されている。図６において、符号１３０は基礎、１３２は土台、１３４は柱、１３６は間柱を示す。図示の例では、土台１３２の上でかつ柱１３４と間柱１３６との間にパッケージ断熱防音材１０Ｃを垂直方向に複数個積上げてあり、かつ水平方向にもパッケージ断熱防音材１０Ｃを複数個並べてある。
【００５２】
また、上述したパッケージ断熱防音材１０Ｃを用いて、鉄骨建物の断熱防音壁を作製した場合を図７に示す。
【００５３】
図７において、符号２００Ｃは、図５（ｇ）のパッケージ断熱防音材１０Ｃを用いて鉄骨建物に適用した本考案の断熱防音壁を示す。本考案の断熱防音壁２００Ｃは、パッケージ断熱防音材１０Ｃを複数個積上げて構成されている。図７において、符号１３８は基礎、１４０は土台、１４２は柱、１４４はスタッドを示す。図示の例では、土台１４０の上でかつ柱１４２とスタッド１４４との間にパッケージ断熱防音材１０Ｃを垂直方向に複数個積上げてあり、かつ水平方向にもパッケージ断熱防音材１０Ｃを複数個並べてある。
【００５４】
次に、本考案に係るパッケージ断熱防音材の第四の態様を、図８に基づいて説明する。
【００５５】
図８において、符号１０Ｄは、本考案に係るパッケージ断熱防音材の第四の態様を示す。図８において、パッケージ断熱防音材１０Ｄは、微細物質（図示例では、粉状にしたセルローズファイバーを用いた）からなる微細物質断熱防音体２０４と、該微細物質断熱防音体２０４を充填するための通気性シート２０６（図示例では段ボールと紙）からなる袋状又は箱状パッケージ部材２０８と、を含み、該微細物質断熱防音体２０４を該袋状又は箱状パッケージ部材２０８に充填してなるものである（特に図８（ｂ）及び図８（ｃ）参照）。
【００５６】
図８によく示される如く、袋状又は箱状パッケージ部材２０８は、多数の通気孔２５４が開穿された底板部材２４６と、一対の長手方向側板部材２４８ａ，２４８ｂと、一対の短手方向側板部材２５０ａ，２５０ｂと、からなる下枠体２５２と、該底板部材２４６と相対向して該下枠体２５２の上部を閉塞する多数の通気孔２５４が開穿された上蓋部材２５６と、を含む段ボール製箱体２５８と、前記底板部材２４６及び前記上蓋部材２５６のそれぞれの内側に敷設された内側シート２６０ａ，２６０ｂ（図示例では紙製シート）と、を含むように構成されている。
【００５７】
このようにして前記内側シート２６０ｂが敷設された下枠体２５２内に微細物質断熱防音体２０４を投入し、該下枠体２５２を前記内側シート２６０ａが敷設された上蓋部材２５６で閉塞することにより、前記袋状又は箱状パッケージ部材２０８内に微細物質断熱防音体２０４が充填される（特に図８（ｄ）及び図８（ｅ）参照）。
【００５８】
パッケージ断熱防音材１０Ｄの作製方法の１つの例を図８（ａ）〜（ｅ）に示す。
【００５９】
まず、図８（ａ）に示されるように、多数の通気孔２５４が開穿された底板部材２４６と、一対の長手方向側板部材２４８ａ，２４８ｂと、一対の短手方向側板部材２５０ａ，２５０ｂと、からなる下枠体２５２と、該底板部材２４６と相対向して該下枠体２５２の上部を閉塞する多数の通気孔２５４が開穿された上蓋部材２５６と、を含む段ボール製箱体２５８を作成する。
【００６０】
次に、図８（ｂ）に示されるように、内側シート２６０ａ，２６０ｂ（図示例では紙製シート）を前記底板部材２４６及び前記上蓋部材２５６のそれぞれの内側に敷設する。
【００６１】
次に、図８（ｃ）に示されるように、前記内側シート２６０ｂが敷設された段ボール製箱体２５８内に微細物質断熱防音体２０４を投入する。
【００６２】
次に、図８（ｄ）に示されるように、前記内側シート２６０ａが敷設された上蓋部材２５６で下枠体２５２の上部を閉塞する。
【００６３】
このようにして、図８（ｅ）に示すようなパッケージ断熱防音材１０Ｄが作製される。
【００６４】
上述したパッケージ断熱防音材１０Ｄを用いて、木造建物の断熱防音壁を作製した場合を図９に示す。
【００６５】
図９において、符号２００Ｄは、木造建物に適用した本考案の断熱防音壁を示す。本考案の断熱防音壁２００Ｄは、パッケージ断熱防音材１０Ｄを複数個積上げて構成されている。図９において、符号２６４は基礎、２６６は土台、２６８は柱、２７０は間柱を示す。図示の例では、土台２６６の上でかつ柱２６８と間柱２７０との間にパッケージ断熱防音材１０Ｄを垂直方向に複数個積上げてあり、かつ水平方向にもパッケージ断熱防音材１０Ｄを複数個並べてある。
【００６６】
また、上述したパッケージ断熱防音材１０Ｄを用いて、鉄骨建物の断熱防音壁を作製した場合を図１０に示す。
【００６７】
図１０において、符号２００Ｅは、鉄骨建物に適用した本考案の断熱防音壁を示す。本考案の断熱防音壁２００Ｅは、パッケージ断熱防音材１０Ｄを複数個積上げて構成されている。図１０において、符号２７２は基礎、２７４は土台、２７６は柱、２７８はスタッドを示す。図示の例では、土台２７４の上でかつ柱２７６とスタッド２７８との間にパッケージ断熱防音材１０Ｄを垂直方向に複数個積上げてあり、かつ水平方向にもパッケージ断熱防音材１０Ｄを複数個並べてある。
【図面の簡単な説明】
【００６８】
【図１】本考案に係るパッケージ断熱防音材の第一の実施の態様を示す概略説明図であって（ａ）はアーチが３つのアーチ状表面部材及びアーチが３つのアーチ状裏面部材を用いたもの、（ｂ）はアーチが６つのアーチ状表面部材及びアーチが６つのアーチ状裏面部材を用いたもの、（ｃ）はアーチが９つのアーチ状表面部材及びアーチが９つのアーチ状裏面部材を用いたものである。
【図２】図１（ｃ）のパッケージ断熱防音材を用いた木造建物用の本考案に係る断熱防音壁の部分摘示図である。
【図３】図１（ａ）のパッケージ断熱防音材を用いた木造建物用の本考案に係る断熱防音壁を別の角度から見た部分摘示図である。
【図４】本考案に係るパッケージ断熱防音材の第二の実施の態様を示す概略説明図であって、（ａ）は小サイズ、（ｂ）は中サイズ、（ｃ）は大サイズのパッケージ断熱防音材をそれぞれ示す。
【図５】本考案に係るパッケージ断熱防音材の第三の実施の態様を示す概略説明図であって、（ａ）は袋状又は箱状パッケージ部材を分解した状態、（ｂ）は袋状又は箱状パッケージ部材を組立てた状態、（ｃ）〜（ｆ）は微細物質断熱防音体を充填している状態、（ｇ）はパッケージ断熱防音材を作製した状態をそれぞれ示す。
【図６】図５のパッケージ断熱防音材を用いた木造建物用の本考案に係る断熱防音壁の部分摘示図である。
【図７】図５のパッケージ断熱防音材を用いた鉄骨建物用の本考案に係る断熱防音壁の部分摘示図である。
【図８】本考案に係るパッケージ断熱防音材の第四の実施の態様を示す説明図であって、（ａ）〜（ｄ）は作製している状態、（ｅ）はパッケージ断熱防音材を作製した状態をそれぞれ示す。
【図９】図８のパッケージ断熱防音材を用いた木造建物用の本考案に係る断熱防音壁の部分摘示図である。
【図１０】図８のパッケージ断熱防音材を用いた鉄骨建物用の本考案に係る断熱防音壁の部分摘示図である。
【符号の説明】
【００６９】
１０Ａ，１０Ｂ，１０Ｃ，１０Ｄ：パッケージ断熱防音材、１４，５４，１１４，２０４：微細物質断熱防音体、１６，５６，１１６，２０６：通気性シート、１８，５８，１１８，２０８：袋状又は箱状パッケージ部材、２０，６０，１１９：表面部材、２２，６２，１２１：裏面部材、２４，６４，１２３：側面部材、２６，６６：膨れ止め部材、２８：アーチ状表面部材、３０：アーチ状裏面部材、３２，７２：吹込み口、３４，１３０，１３８，２６４，２７２：基礎、３６，１３２，１４０，２６６，２７４：土台、３８：胴差、４０：小屋梁、４１：通し柱、４２，１３４，１４２，２６８，２７６：柱、４４，１３６，２７０：間柱、４６：垂木、４８：小屋束、５０：母屋、５２：開口部、６５：縫い目、１２０ａ，１２０ｂ，１２０ｃ，１２０ｄ：区切り室、１２２ａ，１２２ｂ，１２２ｃ：間仕切り部材、１２４ａ，１２４ｂ，１２４ｃ，１２４ｄ：投入口、１２６：漏斗、１４４，２７８：スタッド、２００Ａ，２００Ｂ，２００Ｃ，２００Ｄ，２００Ｅ：断熱防音壁、２４６：底板部材、２４８ａ，２４８ｂ：長手方向側板部材、２５０ａ，２５０ｂ：短手方向側板部材、２５２：下枠体、２５４：通気孔、２５６：上蓋部材、２５８：段ボール製箱体、２６０ａ，２６０ｂ：内側シート。
【図１】
0003130631.tif 000003
【図２】
0003130631.tif 000004
【図３】
0003130631.tif 000005
【図４】
0003130631.tif 000006
【図５】
0003130631.tif 000007
【図６】
0003130631.tif 000008
【図７】
0003130631.tif 000009
【図８】
0003130631.tif 000010
【図９】
0003130631.tif 000011
【図１０】
0003130631.tif 000012